(57)【要約】      （修正有）【課題】厚布縫製用ミシンで縫製することを可能としたキャッチャーミット、キャッチャーミット用芯体、キャッチャーミットの芯体の製造方法及び縫製治具を提供する。【解決手段】土台芯２２と親指芯２４と長小指芯２５と短小指芯２６とを備え、土台芯親指側構成部２２２は、船状骨から第１末節骨に向かうような形状に形成され、土台芯小指側構成部２２４は、三角骨から第５末節骨に向かうような形状に形成され、土台芯中央側構成部２２６は、略ハート形状に形成され、親指芯２４は、土台芯親指側構成部２２２の形状に形成され、長小指芯２５は、土台芯小指側構成部２２４の形状に形成され、短小指芯２６は、土台芯小指側構成部２２４の手首側の形状に沿う形状であって、長小指芯２５の長さの略２分の１の長さに形成される。【選択図】図１２
2018201836.tif 000002
【特許請求の範囲】
【請求項１】
１枚の土台芯と１枚以上の親指芯と１枚以上の長小指芯と１枚以上の短小指芯とを備えるキャッチャーミット用芯体であって、
土台芯は、
シート状であって、
キャッチャーミットの親指側で手首側から指先側に向かって伸びあがり湾曲する土台  芯親指側構成部と、小指側で手首側から指先側に向かって伸びあがり湾曲する土台芯小  指側構成部と、土台芯親指側構成部と土台芯小指側構成部との間に位置する土台芯中央  側構成部と、を有し、
土台芯親指側構成部は、平面視において、キャッチャーミットを使用する人の船状骨  から大菱形骨、第１中手骨、第１基節骨を経て第１末節骨に向かうような形状に形成さ  れ、
土台芯小指側構成部は、平面視において、キャッチャーミットを使用する人の三角骨  から豆状骨、第５中手骨、第５基節骨、第５中節骨を経て第５末節骨に向かうような形  状に形成され、
土台芯中央側構成部は、平面視において、指先側が円弧状に切り欠かれたような形状  である略ハート形状に形成され、
親指芯は、シート状であって、平面視において、土台芯親指側構成部の形状に形成され、
長小指芯は、シート状であって、平面視において、土台芯小指側構成部の形状に形成され、
短小指芯は、
シート状であって、平面視において、土台芯小指側構成部の手首側の形状に沿う形状  であって、長小指芯の長さの略２分の１の長さに形成され、
親指芯と長小指芯と短小指芯とは、
周縁近傍の周縁部と、周縁部内側に位置し周縁部の厚みより厚くする中高形状に形成された中心線部と、を有し、
周縁部に周縁方向に連続して直線状に縫われた縫い目が形成されて、土台芯と縫着された、
キャッチャーミット用芯体。
【請求項２】
親指芯用強化板をさらに備える請求項１に記載のキャッチャーミット用芯体であって、
親指芯用強化板は、
親指芯の強度を向上するための樹脂性の部材であり、
シート状であって、親指芯の形状と略相似する形状であるが親指芯よりも小形であ    る形状に形成され、
積層する土台芯と親指芯との間で、又は、積層する親指芯と親指芯との間で、その延  在する方向に連続して直線状に縫われた縫い目が形成されて、土台芯と一体的に縫着さ  れ、
親指芯は、中心線部の中高形状の凸側を土台芯の主面側に向けて、かつ、周縁部の周縁が土台芯親指側構成部の周縁と重なるように、土台芯に載置されて、周縁部の周縁から親指芯用強化板の周縁までの間で周縁方向に連続して直線状に縫われた縫い目が形成されて、土台芯と縫着された、
キャッチャーミット用芯体。
【請求項３】
小指芯用強化板をさらに備える請求項１又は請求項２に記載のキャッチャーミット用芯体であって、
小指芯用強化板は、
長小指芯又は短小指芯の強度を向上するための樹脂性の部材であり、
シート状であって、短小指芯の形状と略相似する形状であるが短小指芯よりも小形で  ある形状に形成され、
積層する土台芯と長小指芯との間で、又は、積層する長小指芯と短小指芯との間で、  その延在する方向に連続して直線状に縫われた縫い目が形成されて、土台芯と一体的に  縫着され、
長小指芯は、中心線部の中高形状の凸側を土台芯の主面側に向けて、かつ、周縁部の周縁が土台芯小指側構成部の周縁と重なるように、土台芯に載置されて、周縁部の周縁から小指芯用強化板の周縁までの間で周縁方向に連続して直線状に縫われた縫い目が形成されて、土台芯と縫着されており、
短小指芯は、中心線部の中高形状の凸側を土台芯の主面側に向けて、かつ、周縁部の周縁が長小指芯の手首側の周縁部の周縁と重なるように、土台芯に載置された長小指芯に更に載置されて、周縁部の周縁から小指芯用強化板の周縁までの間で周縁方向に連続して直線状に縫われた縫い目が形成されて、土台芯と長小指芯と縫着された、
キャッチャーミット用芯体。
【請求項４】
表面側が受球面となり親指側と小指側とに伸びあがる受球面革と、
受球面革の裏面側で綴じ紐を用いて連結された手掌革と、
手掌革の裏面側に縫着されて手挿入空間を形成する手甲革と、
受球面革と手掌革との間に設けられた請求項１ないし請求項３のいずれかに記載のキャッチャーミット用芯体と、
を備える、キャッチャーミット。
【請求項５】
厚布縫製用ミシンの押え足を上から支持する押え棒に連結する連結部と、
連結部から鉛直下方に向かって被縫製物の上面近傍まで延びる第１腕部と、
第１腕部から、被縫製物であるキャッチャーミット用芯体の親指芯又は長小指芯の周縁の接線方向であって周縁に向かって水平に延びる第２腕部と、
第２腕部の先端側に接続し、水平面視において半円形状又は略円形状であり、厚布縫製用ミシンでキャッチャーミット用芯体を縫製する際に、前記周縁に当接して、前記周縁とミシン針との水平距離を所定の一定の距離に保ちながらキャッチャーミット用芯体の縫製されるべき箇所を案内する当接部と、
を有する縫製治具。
【請求項６】
１枚の土台芯と、１枚以上の親指芯と、１枚以上の長小指芯と、１枚以上の短小指芯と、親指芯の強度を向上するための親指芯用強化板と、長小指芯又は短小指芯の強度を向上するための小指芯用強化板と、を備えるキャッチャーミット用芯体の製造方法であって、
シート状であって略ハート形状の土台芯と、シート状であって平面視において土台芯の親指側の外周縁に沿うように湾曲する略三日月形状の親指芯と、シート状であって平面視において土台芯の小指側の外周縁に沿うように湾曲する略三日月形状の長小指芯と、シート状であって平面視において土台芯の小指側の外周縁に沿うように湾曲する略三日月形状であって長小指芯の長さの略２分の１の長さに形成された短小指芯と、シート状であって親指芯の形状と略相似する形状であるが親指芯よりも小形である形状の親指芯用強化板と、シート状であって短小指芯の形状と略相似する形状であるが短小指芯よりも小形である形状の小指芯用強化板と、厚布縫製用ミシンと、を準備する工程と
土台芯の主面上であって土台芯の親指側と小指側とに、親指芯と長小指芯とをそれぞれ載置する工程と、
土台芯の主面上であって土台芯の親指側と小指側とに、又は、土台芯に載置された親指芯と長小指芯との上に、親指芯用強化板と小指芯用強化板とをそれぞれ載置する工程と、
厚布縫製用ミシンを用いて、親指芯用強化板を土台芯と一体化するように、又は、親指芯用強化板を土台芯と土台芯に載置された親指芯と一体化するように、縫製する工程と、
厚布縫製用ミシンを用いて、小指芯用強化板を土台芯と一体化するように、又は、小指芯用強化板を土台芯と土台芯に載置された長小指芯と一体化するように、縫製する工程と、
縫製された親指芯用強化板と小指芯用強化板との上に親指芯と長小指芯又は短小指芯とをそれぞれ載置する工程と、
請求項５に記載の縫製治具が押え棒に連結された厚布縫製用ミシンを用いて、土台芯と親指芯とを一体化するように、親指芯の周縁よりも内側で親指芯用強化板の周縁よりも外側で親指芯の周縁を周るように縫製する工程と、
請求項５に記載の縫製治具が押え棒に連結された厚布縫製用ミシンを用いて、土台芯と長小指芯又は短小指芯とを一体化するように、長小指芯又は短小指芯の周縁よりも内側で小指芯用強化板の周縁よりも外側で長小指芯又は短小指芯の周縁を周るように縫製する工程と、
を含む、キャッチャーミット用芯体の製造方法。
【発明の詳細な説明】
【技術分野】
【０００１】
本発明は、キャッチャーミットに関し、特に、野球又はソフトボールの捕手が用いるキャッチャーミット、キャッチャーミット用芯体、キャッチャーミットの芯体の製造方法及び縫製治具に関する。
【背景技術】
【０００２】
従来から一般的に、例えば特許文献１に記載のキャッチャーミット用芯体は、土台芯と親指芯と長小指芯と短小指芯と親指芯用強化板と小指芯用強化板とから構成されている。従来のキャッチャーミット用芯体は、土台芯と親指芯との間に親指芯用強化板が挟みこまれ、親指芯の延在方向と交差する方向にすなわち幅方向に親指芯を周回するように手縫いで糸をかけて縫製し、土台芯と親指芯とが縫着されて、製造されていた。同様に、従来のキャッチャーミット用芯体は、土台芯と長小指芯との間に、又は、長小指芯と短小指芯との間に、小指芯用強化板が挟みこまれ、長小指芯の延在方向と交差する方向に長小指芯を周回するように手縫いで糸をかけて縫製し、土台芯と長小指芯と短小指芯とが縫着されて、製造されていた。
【先行技術文献】
【特許文献】
【０００３】
【特許文献１】特開２０１３−２４８２６８号公報
【発明の概要】
【発明が解決しようとする課題】
【０００４】
しかし、従来のキャッチャーミット用芯体は、手縫いで縫製して製造されていたために、１時間に数個しか製造できず、更に熟練の職人のみしか製造できず、生産効率が非常に悪かった。また、これに伴い、従来のキャッチャーミット用芯体を用いて製造されるキャッチャーミットも、生産効率が悪くなっているという問題があった。
【０００５】
また、従来のキャッチャーミット用芯体の親指芯用強化板と小指芯用強化板とは、それぞれ土台芯と、親指芯、長小指芯又は短小指芯と、に挟持されているだけであり、それらの部材と縫着されていない。したがって、親指芯用強化板と小指芯用強化板とが、キャッチャーミットの使用に伴い土台芯、親指芯、長小指芯又は短小指芯の間で芯の延在方向又はその幅方向に摺動し、自らを挟持しているそれらの部材を縫着する糸をその端縁で切断し、キャッチャーミット用芯体及びキャッチャーミット自体の寿命を縮めてしまうという問題があった。
【０００６】
また、従来のキャッチャーミット用芯体を厚布縫製用ミシンで縫製することとしても、親指芯と長小指芯と短小指芯との中高形状となっている断面形状のために、その周縁付近を押え足で押えて縫製しようとしても、押え足が親指芯、長小指芯又は短小指芯の上面から滑り落ち、針が親指芯、長小指芯又は短小指芯の上面にかからないため、適切に縫製できないという問題があった。
【０００７】
そこで、本発明は、キャッチャーミット用芯体を厚布縫製用ミシンで縫製することを可能とし、キャッチャーミット用芯体及びキャッチャーミットの寿命を延ばし、キャッチャーミット用芯体及びキャッチャーミットの生産効率を改善するキャッチャーミット、キャッチャーミット用芯体、キャッチャーミットの芯体の製造方法及び縫製治具を提供することを目的とする。
【課題を解決するための手段】
【０００８】
この発明に係るキャッチャーミット用芯体は、１枚の土台芯と１枚以上の親指芯と１枚以上の長小指芯と１枚以上の短小指芯とを備えるキャッチャーミット用芯体であって、土台芯は、シート状であって、キャッチャーミットの親指側で手首側から指先側に向かって伸びあがり湾曲する土台芯親指側構成部と、小指側で手首側から指先側に向かって伸びあがり湾曲する土台芯小指側構成部と、土台芯親指側構成部と土台芯小指側構成部との間に位置する土台芯中央側構成部と、を有し、土台芯親指側構成部は、平面視において、キャッチャーミットを使用する人の船状骨から大菱形骨、第１中手骨、第１基節骨を経て第１末節骨に向かうような形状に形成され、土台芯小指側構成部は、平面視において、キャッチャーミットを使用する人の三角骨から豆状骨、第５中手骨、第５基節骨、第５中節骨を経て第５末節骨に向かうような形状に形成され、土台芯中央側構成部は、平面視において、指先側が円弧状に切り欠かれたような形状である略ハート形状に形成され、親指芯は、シート状であって、平面視において、土台芯親指側構成部の形状に形成され、長小指芯は、シート状であって、平面視において、土台芯小指側構成部の形状に形成され、短小指芯は、シート状であって、平面視において、土台芯小指側構成部の手首側の形状に沿う形状であって、長小指芯の長さの略２分の１の長さに形成され、親指芯と長小指芯と短小指芯とは、周縁近傍の周縁部と、周縁部内側に位置し周縁部の厚みより厚くする中高形状に形成された中心線部と、を有し、周縁部に周縁方向に連続して直線状に縫われた縫い目が形成されて、土台芯と縫着された、ように構成されている。
【０００９】
この発明に係るキャッチャーミット用芯体は、親指芯用強化板をさらに備えるキャッチャーミット用芯体であって、親指芯用強化板は、親指芯の強度を向上するための樹脂性の部材であり、シート状であって、親指芯の形状と略相似する形状であるが親指芯よりも小形である形状に形成され、積層する土台芯と親指芯との間で、又は、積層する親指芯と親指芯との間で、その延在する方向に連続して直線状に縫われた縫い目が形成されて、土台芯と一体的に縫着され、親指芯は、中心線部の中高形状の凸側を土台芯の主面側に向けて、かつ、周縁部の周縁が土台芯親指側構成部の周縁と重なるように、土台芯に載置されて、周縁部の周縁から親指芯用強化板の周縁までの間で周縁方向に連続して直線状に縫われた縫い目が形成されて、土台芯と縫着された、ように構成されている。
【００１０】
この発明に係るキャッチャーミット用芯体は、小指芯用強化板をさらに備えるキャッチャーミット用芯体であって、小指芯用強化板は、長小指芯又は短小指芯の強度を向上するための樹脂性の部材であり、シート状であって、短小指芯の形状と略相似する形状であるが短小指芯よりも小形である形状に形成され、積層する土台芯と長小指芯との間で、又は、積層する長小指芯と短小指芯との間で、その延在する方向に連続して直線状に縫われた縫い目が形成されて、土台芯と一体的に縫着され、長小指芯は、中心線部の中高形状の凸側を土台芯の主面側に向けて、かつ、周縁部の周縁が土台芯小指側構成部の周縁と重なるように、土台芯に載置されて、周縁部の周縁から小指芯用強化板の周縁までの間で周縁方向に連続して直線状に縫われた縫い目が形成されて、土台芯と縫着されており、短小指芯は、中心線部の中高形状の凸側を土台芯の主面側に向けて、かつ、周縁部の周縁が長小指芯の手首側の周縁部の周縁と重なるように、土台芯に載置された長小指芯に更に載置されて、周縁部の周縁から小指芯用強化板の周縁までの間で周縁方向に連続して直線状に縫われた縫い目が形成されて、土台芯と長小指芯と縫着された、ように構成されている。
【００１１】
この発明に係るキャッチャーミットは、表面側が受球面となり親指側と小指側とに伸びあがる受球面革と、受球面革の裏面側で綴じ紐を用いて連結された手掌革と、手掌革の裏面側に縫着されて手挿入空間を形成する手甲革と、受球面革と手掌革との間に設けられたキャッチャーミット用芯体と、を備える、ように構成されている。
【００１２】
この発明に係る縫製治具は、厚布縫製用ミシンの押え足を上から支持する押え棒に連結する連結部と、連結部から鉛直下方に向かって被縫製物の上面近傍まで延びる第１腕部と、  第１腕部から、被縫製物であるキャッチャーミット用芯体の親指芯又は長小指芯の周縁の接線方向であって周縁に向かって水平に延びる第２腕部と、第２腕部の先端側に接続し、水平面視において半円形状又は略円形状であり、厚布縫製用ミシンでキャッチャーミット用芯体を縫製する際に、前記周縁に当接して、前記周縁とミシン針との水平距離を所定の一定の距離に保ちながらキャッチャーミット用芯体の縫製されるべき箇所を案内する当接部と、を有する、ように構成されている。
【００１３】
この発明に係るキャッチャーミット用芯体の製造方法は、１枚の土台芯と、１枚以上の親指芯と、１枚以上の長小指芯と、１枚以上の短小指芯と、親指芯の強度を向上するための親指芯用強化板と、長小指芯又は短小指芯の強度を向上するための小指芯用強化板と、を備えるキャッチャーミット用芯体の製造方法であって、シート状であって略ハート形状の土台芯と、シート状であって平面視において土台芯の親指側の外周縁に沿うように湾曲する略三日月形状の親指芯と、シート状であって平面視において土台芯の小指側の外周縁に沿うように湾曲する略三日月形状の長小指芯と、シート状であって平面視において土台芯の小指側の外周縁に沿うように湾曲する略三日月形状であって長小指芯の長さの略２分の１の長さに形成された短小指芯と、シート状であって親指芯の形状と略相似する形状であるが親指芯よりも小形である形状の親指芯用強化板と、シート状であって短小指芯の形状と略相似する形状であるが短小指芯よりも小形である形状の小指芯用強化板と、厚布縫製用ミシンと、を準備する工程と、土台芯の主面上であって土台芯の親指側と小指側とに、親指芯と長小指芯とをそれぞれ載置する工程と、土台芯の主面上であって土台芯の親指側と小指側とに、又は、土台芯に載置された親指芯と長小指芯との上に、親指芯用強化板と小指芯用強化板とをそれぞれ載置する工程と、厚布縫製用ミシンを用いて、親指芯用強化板を土台芯と一体化するように、又は、親指芯用強化板を土台芯と土台芯に載置された親指芯と一体化するように、縫製する工程と、厚布縫製用ミシンを用いて、小指芯用強化板を土台芯と一体化するように、又は、小指芯用強化板を土台芯と土台芯に載置された長小指芯と一体化するように、縫製する工程と、縫製された親指芯用強化板と小指芯用強化板との上に親指芯と長小指芯又は短小指芯とをそれぞれ載置する工程と、縫製治具が押え棒に連結された厚布縫製用ミシンを用いて、土台芯と親指芯とを一体化するように、親指芯の周縁よりも内側で親指芯用強化板の周縁よりも外側で親指芯の周縁を周るように縫製する工程と、縫製治具が押え棒に連結された厚布縫製用ミシンを用いて、土台芯と長小指芯又は短小指芯とを一体化するように、長小指芯又は短小指芯の周縁を周るように縫製する工程と、を含む、ように構成されている。
【発明の効果】
【００１４】
本発明によれば、キャッチャーミット用芯体を厚布縫製用ミシンで縫製することを可能とし、キャッチャーミット用芯体及びキャッチャーミットを堅牢で長寿命なものとし、キャッチャーミットの生産効率を改善することができる。
【図面の簡単な説明】
【００１５】
【図１】本発明に係るキャッチャーミットの分解斜視図である。
【図２】本発明に係るキャッチャーミットの受球面側から見た斜視図である。
【図３】本発明に係るキャッチャーミットの受球面側の反対側（手の甲側）から見た斜視図である。
【図４】本発明に係るキャッチャーミット用芯体の土台芯の平面図である。
【図５】本発明に係る親指芯の図であり、（Ａ）は平面図であり、（Ｂ）は側面図であり、（Ｃ）は（Ａ）のＶＣ−ＶＣ断面図である。
【図６】本発明に係る長小指芯の図であり、（Ａ）は平面図であり、（Ｂ）は側面図であり、（Ｃ）は（Ａ）のＶＩＣ−ＶＩＣ断面図である。
【図７】本発明に係る短小指芯の図であり、（Ａ）は平面図であり、（Ｂ）は側面図であり、（Ｃ）は（Ａ）のＶＩＩＣ−ＶＩＩＣ断面図である。
【図８】本発明に係る親指芯用強化板の図であり、（Ａ）は平面図であり、（Ｂ）は（Ａ）のＶＩＩＩＢ−ＶＩＩＩＢ断面図である。
【図９】本発明に係る小指芯用強化板の図であり、（Ａ）は平面図であり、（Ｂ）は（Ａ）のＩＸＢ−ＩＸＢ断面図である。
【図１０】本発明に係るキャッチャーミット用芯体の土台芯に親指芯及び親指芯用強化板と長小指芯及び小指芯用強化板とが載置された状態での平面図である。
【図１１】本発明に係るキャッチャーミット用芯体の土台芯に親指芯及び親指芯用強化板（親指側膨出体）と長小指芯、短小指芯及び小指芯用強化板（長小指側膨出体及び短小指側膨出体）とが載置された状態での平面図である。
【図１２】本発明に係るキャッチャーミット用芯体の土台芯に親指芯及び親指芯用強化板（親指側膨出体）と長小指芯及び小指芯用強化板（長小指側膨出体及び短小指側膨出体）とが載置され更に周縁部を縫製された状態での平面図である。
【図１３】図８のＸ−Ｘ端面図とＹ−Ｙ端面図である。
【図１４】本発明に係る縫製治具の平面図、側面図及び斜視図である。
【図１５】本発明に係る縫製治具の使用状態での斜視図である。
【図１６】本発明に係る縫製治具の使用状態での斜視図である。
【図１７】本発明に係る縫製治具が厚布縫製用ミシンに取り付けられた状態の斜視図である。
【図１８】キャッチャーミットを使用する人のキャッチャーミットを装着すべき手（本実施例では左手）の骨格図である。
【図１９】本発明に係るキャッチャーミット用芯体の製造される工程を示した図である。
【発明を実施するための形態】
【００１６】
以下、本発明の実施形態に係るキャッチャーミットについて、図１ないし図１３を参照して詳細に説明する。
【００１７】
ここで、以下の説明における方向については、キャッチャーミットを使用する人の、親指側を親指側と、小指側を小指側と、各指の指先側を指先側と、手首側を手首側と、手の平側を手の平側と、手の甲側を手の甲側と、定義する。また、手の平が形成する平面方向を手の平方向と、手の平方向に垂直な方向を手の平垂直方向と、定義する。
【００１８】
キャッチャーミット１０は、野球又はソフトボールの捕手が捕球のために利き手と反対側の手に装着して使用される捕球用防具であり、グラブ（グローブ）の一種である。
図１ないし図３に示すように、キャッチャーミット１０は、表皮革を形成する革部材１２と、キャッチャーミット用芯体２０とを備える。
革部材１２は、受球面革１４と手掌革１６と手甲革１８と綴じ紐１９とを備える。
革部材１２の受球面革１４、手掌革１６、手甲革１８及び綴じ紐１９は、天然皮革や合成皮革その他これらと同効質の材料からなる部材である。以下、それぞれの構成要素について、詳しく説明する。
【００１９】
受球面革１４は、表面側（手の平側）が受球面１４０となり、受球面１４０より親指側と小指側とに向けて伸びあがる部材である。受球面革１４は、捕手であるキャッチャーミット１０の使用者がボールを捕球する面である受球面１４０を有する。受球面革１４は、ボールを捕球しやすいように受球面１４０の一部が窪むような形状に形成される。受球面革１４の周縁付近又は周縁よりも内側には、手掌革１６との間においてキャッチャーミット用芯体２０を収容した状態でキャッチャーミット用芯体２０及び手掌革１６と綴じ紐１９で縫合するための紐孔Ｈが複数形成されている。
【００２０】
手掌革１６は、受球面革１４の裏面側（手の甲側）で綴じ紐１９を用いて連結された部材である。手掌革１６は、周縁で受球面革１４の周縁と綴じ紐１９を用いて縫合されることにより、受球面革１４との間でキャッチャーミット用芯体２０を収容するように形成されている。手掌革１６の周縁には、キャッチャーミット用芯体２０及び受球面革１４と綴じ紐１９で縫合するための紐孔Ｈが複数形成されている。
使用者がキャッチャーミット１０の手挿入空間Ｓに手を挿入した際には、使用者の手の平（掌）は、手掌革１６に面状に各指が接触される状態となる。
【００２１】
手甲革１８は、手掌革１６の裏面側（手の甲側）に縫着されて手挿入空間Ｓを形成する革製の部材である。手甲革１８は、手掌革１６の一回り小さな形状に形成してあるとともに、指を開いた手のような略手形の形状に形成されている。
使用者がキャッチャーミット１０の手挿入空間Ｓに手を挿入した際には、使用者の手の甲は、手甲革１８に面状に各指が接触される状態となる。
【００２２】
綴じ紐１９は、受球面革１４と手掌革１６とを、それぞれの周縁を螺旋状に廻るように、連結する紐状の部材である。さらに、綴じ紐１９は、キャッチャーミット用芯体２０を受球面革１４と手掌革１６との間で固定するために、受球面革１４と手掌革１６とキャッチャーミット用芯体２０とのそれぞれに形成された紐孔Ｈに挿通される。
【００２３】
すなわち、キャッチャーミット１０は、手甲革１８を裏面側（手の甲側）に縫着された手掌革１６と、その表面側（手の平側）に受球面革１４と、が配置され、さらに、手掌革１６と受球面革１４との間にキャッチャーミット用芯体２０が配置されて、それらに形成された紐孔Ｈに綴じ紐１９が挿通されて、手掌革１６とキャッチャーミット用芯体２０と受球面革１４とが一体的に固定される。
【００２４】
キャッチャーミット１０は、表皮革を形成する革部材１２と、革部材１２の中に収容されて親指側と小指側とを膨出させるための膨出体１００とを有するキャッチャーミット用芯体２０と、を備える。
膨出体１００は、キャッチャーミット１０の親指側を膨出させる親指側膨出体１１０と、キャッチャーミット１０の小指側を膨出させる先端側の長小指側膨出体１２０及び手前側の短小指側膨出体１３０とを備える。
【００２５】
親指側膨出体１１０は、親指側のキャッチャーミット用芯体２０の衝撃吸収性を確保するとともに捕球したボールを包むための部材である。親指側膨出体１１０は、親指芯２４と親指芯用強化板２８とにより構成されている。
長小指側膨出体１２０は、小指側における指先側のキャッチャーミット用芯体２０の衝撃吸収性を確保するとともに捕球したボールを包むための部材である。長小指側膨出体１２０は、長小指芯２５と小指芯用強化板２９とにより構成されている。
短小指側膨出体１３０は、小指側における手首側のキャッチャーミット用芯体２０の衝撃吸収性を確保するとともに捕球したボールを包むための部材である。短小指側膨出体１３０は、長小指芯２５と短小指芯２６と小指芯用強化板２９とにより構成されている。
【００２６】
キャッチャーミット用芯体２０は、羊毛などの天然繊維又は合成繊維を縮充させてシート状にしたフェルトを主な材料とするキャッチャーミットの衝撃吸収用の芯体を含む。
キャッチャーミット用芯体２０は、受球面革１４と手掌革１６とに挟まれて紐孔Ｈに綴じ紐１９を挿通されて、受球面革１４と手掌革１６との間に設けられる。
キャッチャーミット用芯体２０は、１枚の土台芯２２と、１枚以上の親指芯２４と、１枚以上の長小指芯２５と、１枚以上の短小指芯２６と、親指芯用強化板２８と、小指芯用強化板２９とを備える。
また、親指芯２４と親指芯用強化板２８とは、キャッチャーミット１０の親指側を膨出させる親指側膨出体１１０を構成する。長小指芯２５と小指芯用強化板２９とは、キャッチャーミット１０の小指側を膨出させる長小指側膨出体１２０を構成する。短小指芯２６と小指芯用強化板２９とは、キャッチャーミット１０の小指側であって手首側をさらに膨出させる短小指側膨出体１３０を構成する。親指側膨出体１１０と長小指側膨出体１２０と短小指側膨出体１３０とは、膨出体１００を構成する。
【００２７】
土台芯２２は、手の平方向にのびる１枚のシート状のフェルト部材であって、平面視において略ハート形状の部材である。
土台芯２２の寸法は、例えば、厚みが８ｍｍであり、親指側から小指側までの最長の長さが３３０ｍｍであり、手首側から指先側までの最長の長さが２２０ｍｍである。土台芯２２は、キャッチャーミット１０の親指側で手首側から指先側に向かって延在し湾曲する土台芯親指側構成部２２２と、小指側で手首側から指先側に向かって延在し湾曲する土台芯小指側構成部２２４と、土台芯親指側構成部２２２と土台芯小指側構成部２２４との間に位置する土台芯中央側構成部２２６と、を有する。
土台芯２２は、土台芯親指側構成部２２２を囲むように紐孔Ｈが複数形成されており、同様に、土台芯小指側構成部２２４を囲むように紐孔Ｈが複数形成されており、さらに、土台芯中央側構成部２２６の手首側と土台芯小指側構成部２２４の延在する方向の中央辺りとに、紐孔Ｈが複数形成されている。土台芯２２は、その主面２２０側であって手の平側の面で、土台芯親指側構成部２２２上に親指側膨出体１１０が載置されて縫着され、土台芯小指側構成部２２４上に指先側で長小指側膨出体１２０が載置されて縫着されており、かつ、土台芯小指側構成部２２４上に手首側で短小指側膨出体１３０が載置されて縫着されている。
【００２８】
土台芯親指側構成部２２２は、平面視において、略三日月形状であり、キャッチャーミット１０を使用する人の図１８で図示する船状骨５１から大菱形骨５２、第１中手骨５３、第１基節骨５４を経て第１末節骨５５に向かうような形状に形成されている。後述するように、土台芯親指側構成部２２２の周縁２２２０は、平面視において、親指芯２４の周縁部２４４の周縁２４６と重なる。すなわち、親指芯２４の形状は、平面視において、土台芯親指側構成部２２２の形状と一致する。
【００２９】
土台芯小指側構成部２２４は、平面視において、逆Ｃ字形の略三日月形状であり、キャッチャーミット１０を使用する人の図１８で図示する三角骨６１から豆状骨６２、第５中手骨６３、第５基節骨６４、第５中節骨６５を経て第５末節骨６６に向かうような形状に形成されている。後述するように、土台芯小指側構成部２２４の周縁部２２４０は、平面視において、長小指芯２５の周縁部２５４の周縁２５６と重なる。すなわち、長小指芯２５の形状は、平面視において、土台芯小指側構成部２２４の形状と一致する。
【００３０】
土台芯中央側構成部２２６は、平面視において、指先側が円弧状に切り欠かれたような形状であるとともに手首側に若干伸びたような略ハート形状に形成されている。土台芯中央側構成部２２６は、土台芯親指側構成部２２２と土台芯小指側構成部２２４との間に位置する。
【００３１】
親指芯２４は、シート状のフェルト部材である。親指芯２４は、１枚以上積層することにより、キャッチャーミット用芯体２０の親指側を膨出させ、キャッチャーミット用芯体２０の親指側の衝撃吸収性を確保するための部材である。すなわち、親指芯２４は、積層することにより、親指側膨出体１１０を構成する。親指芯２４は、シート状であって、平面視において、土台芯２２の親指側の外周縁２２００に沿うように湾曲する略三日月形状であって、土台芯親指側構成部２２２の形状と相似に形成されている。
親指芯２４は、周縁２４６の近傍の周縁部２４４と、周縁部２４４の内側に位置し周縁部２４４の少なくとも一部の厚みより厚くし周縁部２４４に比して下向きに凸の形状となる中高形状に形成された中心線部２４２と、を有する。親指芯２４の周縁２４６は、土台芯２２の親指側の外周縁２２００に沿う外側周縁２４６ｎと、外側周縁２４６ｎに手首側と指先側とで接続し土台芯中央側構成部２２６に沿う内側周縁２４６ｍと、により構成されている。周縁部２４４は、さらに、外側周縁２４６ｎ側に位置する外側周縁部２４４ｎと、内側周縁２４６ｍ側に位置する内側周縁部２４４ｍと、を有する。
すなわち、親指芯２４は、図５に示すように、幅方向に切断した断面形状において、断面略台形状であって、内側においてその厚みが漸減する。
親指芯２４は、中心線部２４２である中心付近に凸となるように厚みを有するような形状に形成され、外側周縁部２４４ｎである外側周縁２４６ｎ付近において中心線部２４２と同じ厚みであるように形成され、内側周縁部２４４ｍである内側周縁２４６ｍ付近において内側周縁２４６ｍにかけて厚みを減少するように傾斜するような形状に形成されている。つまり、中心線部２４２の厚みと外側周縁部２４４ｎの厚みとは等しくなっており、中心線部２４２と内側周縁部２４４ｍとの接続部分から内側周縁２４６ｍにかけて、内側周縁部２４４ｍの厚みは傾斜するように徐々に薄くなっている。
【００３２】
親指芯２４の内側周縁部２４４ｍは、親指芯２４の内側周縁２４６ｍから直線状に縫うに適する適宜な幅を有して親指芯２４の内側周縁２４６ｍに沿って形成されており、親指芯２４の外側周縁部２４４ｎは、親指芯２４の外側周縁２４６ｎから直線状に縫うに適する適宜な幅を有して、親指芯２４の外側周縁２４６ｎに沿って形成されている。
親指芯２４の内側周縁部２４４ｍと親指芯２４の外側周縁部２４４ｎとは、親指芯２４の周縁（親指芯の周縁部の周縁）２４６に沿って環状に連結して形成されて、環状の内側周縁部２４４を構成している。
【００３３】
親指芯２４の周縁部２４４は、土台芯２２の土台芯親指側構成部２２２に親指芯２４を縫着するために直線状に縫うための領域を構成している。
親指芯２４の中心線部２４２は、親指芯２４の周縁部２４４の内側に形成され、親指芯用強化板２８を配設するための領域を構成している。
【００３４】
親指芯２４の寸法は、例えば、中心線部２４２及び外側周縁部２４４ｎの厚みが６．５ｍｍであり、内側周縁部２４４ｍの内側周縁２４６ｍの厚みが２ｍｍであり、内側周縁部２４４ｍの幅が１４ｍｍである。親指芯２４の中心線部２４２は、縫製される前は手の平垂直方向であって土台芯２２の主面２２０側に凸の形状となっているが、後述するように、周縁部２４４を周回するように周縁方向に連続して縫製されることによって、縫製された後は土台芯２２の主面２２０から離れる方向に凸の形状となる。すなわち、内側周縁２２６ｍ側は薄く、外側に向かうに従って厚くなる。
【００３５】
親指芯２４は、土台芯２２の主面２２０上に、その延在方向を主面２２０の平面方向つまり手の平方向と平行にしながら、１枚以上が手の平垂直方向に積層された状態で土台芯２２に縫着されて一体化されている。詳細には、１枚以上の親指芯２４は、中心線部２４２の中高形状の凸側を土台芯２２の主面２２０側に向けて、かつ、周縁部２４４の周縁２４６が土台芯親指側構成部２２２の周縁２２２０と重なるように、土台芯２２に順次載置されて、周縁部２４４の周縁２４６から親指芯用強化板２８の周縁２８６までの間で周縁方向に連続して直線状に縫われた第３縫い目９０が形成されて、土台芯２２と縫着されている。そして、土台芯２２に縫着される前においては、親指芯２４の中心線部２４２の中高形状の凸側は、図１１に示すように、手の平垂直方向であって土台芯２２の主面２２０側に向いていたが、中心線部２４２よりも厚みが薄い周縁部２４４がいわゆる直線縫いで土台芯２２に縫着されることによって、周縁部２４４の周縁２４６が土台芯２２の主面２２０に接近し、その作用の結果として、中心線部２４２は、図１３（Ａ）に示すように、土台芯２２の主面２２０から離れる方向に凸の中高形状となっている。
【００３６】
親指芯２４の周縁部２４４の中心線近傍において、いわゆる直線縫いで縫われてなる縫い目である第３縫い目９０は、親指芯２４の周縁（親指芯の周縁部の周縁）２４６に沿って環状に形成されている。第３縫い目９０は、最上部に位置する親指芯２４の上面から土台芯２２に至る縫い目で、土台芯２２に親指芯２４を縫って固定している。第３縫い目９０は、親指芯用強化板２８を囲繞しており、親指芯用強化板２８の移動を阻止するように構成されている。
【００３７】
長小指芯２５は、シート状のフェルト部材である。長小指芯２５は、１枚以上積層することにより、キャッチャーミット用芯体２０の小指側を膨出させ、キャッチャーミット用芯体２０の小指側の衝撃吸収性を確保するための部材である。すなわち、長小指芯２５は、積層することにより、長小指側膨出体１２０を構成する。長小指芯２５は、シート状であって、平面視において、土台芯２２の小指側の外周縁２２００に沿うように湾曲する逆Ｃ字形の略三日月形状であって、土台芯小指側構成部２２４の形状に形成されている。
長小指芯２５は、周縁２５６近傍の周縁部２５４と、周縁部２５４内側に位置し周縁部２５４の少なくとも一部の厚みより厚くし周縁部２５４に比して下向きに凸の形状となる中高形状に形成された中心線部２５２と、を有する。長小指芯２５の周縁２５６は、土台芯２２の小指側の外周縁２２００に沿う外側周縁２５６ｎと、外側周縁２５６ｎに手首側と指先側とで接続し土台芯中央側構成部２２６に沿う内側周縁２５６ｍと、により構成されている。周縁部２５４は、さらに、外側周縁２５６ｎ側に位置する外側周縁部２５４ｎと、内側周縁２５６ｍ側に位置する内側周縁部２５４ｍと、を有する。
すなわち、長小指芯２５は、図６に示すように、幅方向を切断した断面形状において、中心線部２５２である中心付近に下向きに凸となるように厚みを有するような形状に形成され、外側周縁部２５４ｎである外側周縁２５６ｎ付近において中心線部２５２と同じ厚みであるように形成され、内側周縁部２５４ｍである内側周縁２５６ｍ付近において内側周縁２５６ｍにかけて厚みを減少するように傾斜するような形状に形成されている。つまり、中心線部２５２の厚みと外側周縁部２５４ｎの厚みとは等しくなっており、中心線部２５２と内側周縁部２５４ｍとの接続部分から内側周縁２５６ｍにかけて、内側周縁部２５４ｍの厚みは傾斜するように徐々に薄くなっている。
【００３８】
長小指芯２５の内側周縁部２５４ｍは、長小指芯２５の内側周縁２５６ｍから直線状に縫うに適する適宜な幅を有して長小指芯２５の内側周縁２５６ｍに沿って形成されており、長小指芯２５の外側周縁部２５４ｎは、親指芯の長小指芯２５の外側周縁２５６ｎから直線状に縫うに適する適宜な幅を有して、長小指芯２５の外側周縁２５６ｎに沿って形成されている。
長小指芯２５の内側周縁部２５４ｍと長小指芯２５の外側周縁部２５４ｎとは、長小指芯２５の周縁（長小指芯の周縁部の周縁）２５６に沿って環状に連結して形成されて、環状の周縁部２５４を構成している。
【００３９】
長小指芯２５の周縁部２５４は、土台芯２２の土台芯小指側構成部２２４に長小指芯２５を縫着するために直線状に縫うための領域を構成している。
長小指芯２５の中心線部２５２は、長小指芯２５の周縁部２５４の内側に形成され、小指芯用強化板２９を配設するための領域を構成している。
【００４０】
長小指芯２５の寸法は、例えば、中心線部２５２の厚みが６．５ｍｍであり、内側周縁部２５４ｍの内側周縁２５６ｍの厚みが２ｍｍであり、内側周縁部２５４ｍの幅が１４ｍｍである。長小指芯２５の中心線部２５２は、縫製される前は手の平垂直方向であって土台芯２２の主面２２０側に凸の形状となっているが、後述するように、周縁部２５４を周回するように周縁方向に連続して縫製されることによって、縫製された後は土台芯２２の主面２２０から離れる方向に凸の形状となる。
長小指芯２５は、土台芯２２の主面２２０上に、その延在方向を主面２２０の平面方向つまり手の平方向と平行にしながら、１枚以上が手の平垂直方向に積層された状態で土台芯２２に縫着されて一体化されている。詳細には、１枚以上の長小指芯２５は、中心線部２５２の中高形状の凸側を土台芯２２の主面２２０側に向けて、かつ、周縁部２５４の周縁２５６が土台芯小指側構成部２２４の周縁２２４０と重なるように、土台芯２２に順次載置されて、周縁部２５４の周縁２５６から小指芯用強化板２９の周縁２９６までの間で周縁方向に連続して直線状に縫われた第４縫い目９２が形成されて、土台芯２２と縫着されている。
そして、土台芯２２に縫着される前においては、長小指芯２５の中心線部２５２の中高形状の凸側は、図１１に示すように、手の平垂直方向であって土台芯２２の主面２２０側に向いていたが、中心線部２５２よりも厚みが薄い周縁部２５４がいわゆる直線縫いで土台芯２２に縫着されることによって、周縁部２５４の周縁２５６が土台芯２２の主面２２０に接近し、その作用の結果として、中心線部２５２は、図１３（Ａ）に示すように、土台芯２２の主面２２０から離れる方向に凸の中高形状となっている。
長小指芯２５は、その延在方向の長さの略２分の１のところに、綴じ紐１９を挿通するための紐孔Ｈが複数形成されている。
【００４１】
長小指芯２５の周縁部２５４及び短小指芯２６の周縁部２６４の中心線近傍において、いわゆる直線縫いで縫われてなる第４縫い目９２は、長小指芯２５の周縁（長小指芯の周縁部の周縁）２５６及び短小指芯２６の周縁（短小指芯の周縁部の周縁）２６６に沿って環状に形成されている。
第４縫い目９２は、短小指芯２６の内側周縁部２６４ｍの指先側から外側周縁部２６４ｎの指先側をいわゆる直線縫いで縫われてなる第５縫い目９４と連続している。
第４縫い目９２は、最上部に位置する長小指芯２５の上面から土台芯２２に至る縫い目で、土台芯２２に長小指芯２５を縫って固定している。第４縫い目９２は、小指芯用強化板２９を囲繞しており、小指芯用強化板２９の移動を阻止するように構成されている。
【００４２】
短小指芯２６は、シート状のフェルト部材である。短小指芯２６は、長小指芯２５に１枚以上積層することにより、キャッチャーミット用芯体２０の小指側を更に膨出させ、キャッチャーミット用芯体２０の小指側の衝撃吸収性を確保するための部材である。すなわち、短小指芯２６は、積層することにより、短小指側膨出体１３０を構成する。短小指芯２６は、シート状であって平面視において、土台芯２２の小指側の外周縁２２００に沿うように湾曲する逆Ｃ字形の略三日月形状であって、土台芯小指側構成部２２４の手首側の形状に沿う形状であって、長小指芯２５の長さの略２分の１の長さに形成されている。
短小指芯２６は、周縁２６６近傍の周縁部２６４と、周縁部２６４内側に位置し周縁部２６４の少なくとも一部の厚みより厚くし周縁部２６４に比して下向きに凸の形状となる中高形状に形成された中心線部２６２と、を有する。短小指芯２６の周縁２６６は、土台芯２２の小指側の外周縁２２００に沿う外側周縁２６６ｎと、外側周縁２６６ｎに手首側と指先側とで接続し土台芯中央側構成部２２６に沿う内側周縁２６６ｍと、により構成されている。周縁部２６４は、さらに、外側周縁２６６ｎ側に位置する外側周縁部２６４ｎと、内側周縁２６６ｍ側に位置する内側周縁部２６４ｍと、を有する。
すなわち、短小指芯２６は、図７に示すように、幅方向を切断した断面形状において、中心線部２６２である中心付近に下向きに凸となるように厚みを有するような形状に形成され、外側周縁部２６４ｎである外側周縁２６６ｎ付近において中心線部２６２と同じ厚みであるように形成され、内側周縁部２６４ｍである内側周縁２６６ｍ付近において内側周縁２６６ｍにかけて厚みを減少するように傾斜するような形状に形成されている。つまり、中心線部２６２の厚みと外側周縁部２６４ｎの厚みとは等しくなっており、中心線部２６２と内側周縁部２６４ｍとの接続部分から内側周縁２６６ｍにかけて、内側周縁部２６４ｍの厚みは傾斜するように徐々に薄くなっている。
【００４３】
短小指芯２６の内側周縁部２６４ｍは、短小指芯２６の内側周縁２６６ｍから直線状に縫うに適する適宜な幅を有して短小指芯２６の内側周縁２６６ｍに沿って形成されており、短小指芯２６の外側周縁部２６４ｎは、短小指芯２６の外側周縁２６６ｎから直線状に縫うに適する適宜な幅を有して、短小指芯２６の外側周縁２６６ｎに沿って形成されている。
短小指芯２６の内側周縁部２６４ｍと短小指芯２６の外側周縁部２６４ｎは、短小指芯２６の周縁（短小指芯の周縁部の周縁）２６６に沿って環状に連結して形成されて、環状の短小指芯２６の周縁部２６４を構成している。
【００４４】
短小指芯２６の周縁部２６４は、土台芯２２の土台芯小指側構成部２２４に短小指芯２６を縫着するために直線状に縫うための領域を構成している。
短小指芯２６の中心線部２６２は、短小指芯２６の周縁部２６４の内側に形成され、小指芯用強化板２９を配設するための領域を構成している。
【００４５】
短小指芯２６の寸法は、例えば、中心線部２６２の厚みが６．５ｍｍであり、内側周縁部２６４ｍの周縁２６６ｍの厚みが３ｍｍであり、内側周縁部２６４ｍの幅が１４ｍｍである。短小指芯２６の中心線部２６２は、縫製される前は手の平垂直方向であって土台芯２２の主面２２０側に凸の形状となっているが、後述するように、周縁部２６４を周回するように周縁方向に連続して縫製されることによって、縫製された後は土台芯２２の主面２２０から離れる方向に凸の形状となる。
短小指芯２６は、土台芯２２の主面２２０上に、その延在方向を主面２２０の平面方向つまり手の平方向と平行にしながら、１枚以上が手の平垂直方向に積層された状態で土台芯２２に縫着されて一体化されている。詳細には、１枚以上の短小指芯２６は、中心線部２６２の中高形状の凸側を土台芯２２の主面２２０側に向けて、かつ、周縁部２６４の周縁２６６が長小指芯２５の手首側の周縁部２５４の周縁２５６と重なるように、土台芯２２に載置された長小指芯２５に更に載置されて、周縁部２６４の周縁２６６から小指芯用強化板２９の周縁２９６までの間で周縁方向に連続して直線状に縫われた第４縫い目９２及び第５縫い目９４が形成されて、土台芯２２と長小指芯２５と縫着されている。
そして、土台芯２２に縫着される前においては、短小指芯２６の中心線部２６２の中高形状の凸側は、図１１に示すように、手の平垂直方向であって土台芯２２の主面２２０側に向いていたが、中心線部２６２よりも厚みが薄い周縁部２６４がいわゆる直線縫いで土台芯２２に縫着されることによって、周縁部２６４の周縁２６６が土台芯２２の主面２２０に接近し、その作用の結果として、中心線部２６２は、図１３（Ｂ）に示すように、土台芯２２の主面２２０から離れる方向に凸の中高形状となっている。
短小指芯２６は、長小指芯２５の延在方向の略２分の１のところに形成された紐孔Ｈよりも手首側に位置して、長小指芯２５上に積層されている。
【００４６】
第５縫い目９４は、最上部に位置する短小指芯２６の上面から土台芯２２に至る縫い目で、土台芯２２に短小指芯２６を縫って固定している。第５縫い目９４は、長小指芯２５の中心線部２５２の手首側と指先側との略中間位置において、親指側の第４縫い目９２と小指側の第４縫い目９２との間に架け渡されて、小指芯用強化板２９の移動を阻止するように構成されている。
【００４７】
第１縫い目８０と第２縫い目８２と第３縫い目９０と第４縫い目９２と第５縫い目９４とは、それぞれ、いわゆる直線縫いであって、かつ、いわゆる本縫いで、縫われたことにより形成される縫い目である。ここで、いわゆる直線縫いとは、進行方向に連続して直線状に縫った縫い目の形である。いわゆる本縫いとは、上糸と下糸とがからみあってできる縫い目の構成である。
【００４８】
図８に示すように、親指芯用強化板２８は、親指芯２４の形状の適宜な形状に保ちその強度を向上するための樹脂性の部材である。親指芯用強化板２８は、シート状であって、親指芯２４の形状と略相似する形状であるが親指芯２４よりも小形である形状に形成されている。すなわち、親指芯用強化板２８は、親指芯２４の中心線部２４２の領域内に収まる形状であって、親指芯２４の周縁部２４４には食み出すことがない形状を有している。
親指芯用強化板２８は、積層する土台芯２２と親指芯２４との間で、又は、積層する親指芯２４と親指芯２４との間で、その延在する方向に連続して直線状に縫われた第１縫い目８０が形成されて、土台芯２２と一体的に縫着されている。
すなわち、親指芯用強化板２８は、親指芯２４と同じく、略三日月形状に形成されているが、親指芯２４よりも一回り小さく形成されている。そして、親指芯用強化板２８は、土台芯親指側構成部２２２の上面又は土台芯２２に載置された親指芯２４の上面に載置されて、その延在する方向と同じ方向であって、親指芯用強化板２８の中心線近傍を、いわゆる直線縫いで縫われて、土台芯２２と一体的に縫着されている。
親指芯用強化板２８は、土台芯２２と一体的に縫着されることにより、キャッチャーミット１０の使用により、内部で摺動せず、親指芯用強化板２８の周縁２８６（端縁）で、親指芯２４を土台芯２２と縫着する糸を切断することを生じない。したがって、親指芯用強化板２８は、キャッチャーミット用芯体２０及びキャッチャーミット１０の寿命が縮まるということを生じない。
親指芯用強化板２８は、土台芯２２と親指芯２４との間に設けられていてもよいし、積層する親指芯２４と親指芯２４との間に設けられていてもよい。つまり、親指芯用強化板２８の、土台芯２２の主面２２０からの高さ方向の設けられる位置は、限定されるものではない。
【００４９】
親指芯用強化板２８の中心線近傍をいわゆる直線縫いで縫われてなる縫い目である第１縫い目８０は、親指芯用強化板２８の手首側端部の近傍から指先側端部の近傍に至るまで、形成されている。第１縫い目８０は、親指芯用強化板２８の上面から土台芯２２に至る縫い目で、土台芯２２に親指芯用強化板２８及び親指芯２４を縫って固定している。
【００５０】
図９に示すように、小指芯用強化板２９は、長小指芯２５又は短小指芯２６の強度を向上するための樹脂性の部材である。小指芯用強化板２９は、シート状であって、短小指芯２６の形状と略相似する形状であるが短小指芯２６よりも小形である形状に形成されている。すなわち、小指芯用強化板２９は、長小指芯２５の中心線部２５２の領域内に収まる形状であって、長小指芯２５の周縁部２５４には食み出すことがない形状を有している。
小指芯用強化板２９は、積層する土台芯２２と長小指芯２５との間で、又は、積層する長小指芯２５と短小指芯２６との間で、その延在する方向に連続して直線状に縫われた第２縫い目８２が形成されて、土台芯２２と一体的に縫着されている。
すなわち、小指芯用強化板２９は、短小指芯２６と同じく、略三日月形状に形成されているが、短小指芯２６よりも一回り小さく形成されている。そして、小指芯用強化板２９は、土台芯小指側構成部２２４の上面又は土台芯２２に載置された長小指芯２５の上面に載置されて、その延在する方向と同じ方向であって、小指芯用強化板２９の中心線近傍を、いわゆる直線縫いで縫われて、土台芯２２と一体的に縫着されている。小指芯用強化板２９は、土台芯２２と一体的に縫着されることにより、キャッチャーミット１０の使用により、内部で摺動せず、小指芯用強化板２９の周縁２９６（端縁）で、長小指芯２５又は短小指芯２６を土台芯２２と縫着する糸を切断することを生じない。したがって、小指芯用強化板２９は、キャッチャーミット用芯体２０及びキャッチャーミット１０の寿命が縮まるということを生じない。
小指芯用強化板２９は、土台芯２２と長小指芯２５との間に設けられていてもよいし、積層する長小指芯２５と短小指芯２６との間に設けられていてもよい。つまり、小指芯用強化板２９の、土台芯２２の主面２２０からの高さ方向の設けられる位置は、限定されるものではない。また、小指芯用強化板２９は、長小指芯２５の指先側に設けられていてもよいし、長小指芯２５の手首側に設けられていてもよい。ただし、長小指芯２５の延在方向の中間付近に、紐孔Ｈが設けられており、綴じ紐１９が挿通されるため、長小指芯２５の指先側と手首側との中間あたりに、小指芯用強化板２９を設けることはできない。好ましくは、小指芯用強化板２９は、短小指芯２６が設けられることが少ない、長小指芯２５の指先側に設けられる。
【００５１】
小指芯用強化板２９の中心線近傍をいわゆる直線縫いで縫われてなる縫い目である第２縫い目８２は、小指芯用強化板２９の指先側端部の近傍から手首側端部の近傍を経て、短小指芯２６の手元側端部の近傍に至るまで、形成されている。
第２縫い目８２は、小指芯用強化板２９の上面から土台芯２２に至る縫い目で、土台芯２２に小指芯用強化板２９及び長小指芯２５を縫って固定している。
【００５２】
土台芯２２の親指側に１枚以上の親指芯２４と親指芯用強化板２８とが積層することにより形成される親指側膨出体１１０は、土台芯の主面２２０の平面方向（手の平方向）と垂直な方向（手の平垂直方向）に、親指芯２４の周縁２４６の積層によって垂直端面１１０ｅが形成される。垂直端面１１０ｅは、平面視において、同一形状の１枚以上の親指芯２４の周縁２４６が積層して形成しているため、土台芯２２の親指側の外周縁２２００と沿い、土台芯２２の中央側構成部２２６の親指側の外周縁と沿うような形状となっている。
【００５３】
土台芯２２の小指側かつ指先側に１枚以上の長小指芯２５と小指芯用強化板２９とが積層することにより形成される長小指側膨出体１２０は、土台芯の主面２２０の平面方向（手の平方向）と垂直な方向（手の平垂直方向）に、長小指芯２５の周縁２５６の積層によって垂直端面１２０ｅが形成される。垂直端面１２０ｅは、平面視において、同一形状の１枚以上の長小指芯２５の周縁２５６が積層して形成しているため、土台芯２２の小指側かつ指先側の外周縁２２００と沿い、土台芯２２の中央側構成部２２６の小指側かつ指先側の外周縁と沿うような形状となっている。
【００５４】
土台芯２２の小指側かつ手首側に１枚以上の短小指芯２６と小指芯用強化板２９とが積層することにより形成される短小指側膨出体１３０は、土台芯の主面２２０の平面方向（手の平方向）と垂直な方向（手の平垂直方向）に、短小指芯２６の周縁２６６の積層によって垂直端面１３０ｅが形成される。垂直端面１３０ｅは、平面視において、同一形状の１枚以上の短小指芯２６の周縁２６６が積層して形成しているため、土台芯２２の小指側かつ手首側の外周縁２２００と沿い、土台芯２２の中央側構成部２２６の小指側かつ手首側の外周縁と沿うような形状となっている。
【００５５】
次に、キャッチャーミット用芯体２０の製造方法について、説明する。
【００５６】
図１９のステップ１００１において、図４のようなシート状であって略ハート形状の土台芯２２と、図５のようなシート状であって平面視において土台芯２２の親指側の外周縁に沿うように湾曲する略三日月形状の親指芯２４と、図６のようなシート状であって平面視において土台芯の小指側の外周縁に沿うように湾曲する略三日月形状の長小指芯２５と、図７のようなシート状であって平面視において土台芯の小指側の外周縁に沿うように湾曲する略三日月形状であって長小指芯２５の長さの略２分の１の長さに形成された短小指芯２６と、図８のようなシート状であって親指芯２４の形状と略相似する形状であるが親指芯２４よりも小形である形状の親指芯用強化板２８と、図９のようなシート状であって短小指芯の形状と略相似する形状であるが短小指芯よりも小形である形状の小指芯用強化板２９とを準備する。
【００５７】
図１９のステップ１００２において、図１７のような厚布縫製用ミシン４０を準備する。厚布縫製用ミシン４０は、後述する縫製治具３０が押え棒４４に取付可能に構成されている。
【００５８】
図１９のステップ１００３において、図１０に示すように、土台芯２２の主面２２０上であって土台芯２２の親指側と小指側とに、親指芯２４と長小指芯２５とをそれぞれ載置する（親指芯及び小指芯載置工程）。
【００５９】
親指芯及び小指芯載置工程を、主として図１０に基づいて、詳細に説明する。
図１０に示すように、土台芯２２の土台芯親指側構成部２２２の上面に、かつ、平面視において土台芯親指側構成部２２２に重なるように、親指芯２４の中心線部２４２の中高形状の凸側を土台芯２２の主面２２０の側に向けて、親指芯２４を１枚載置する。さらに、当該親指芯２４の上面に、かつ、当該親指芯２４に重なるように、中心線部２４２の中高形状の凸側を土台芯２２の主面２２０の側に向けて、親指芯２４を１枚載置する。この工程を、親指芯２４の上面が親指芯用強化板２８が設けられるべき高さになるまで、繰り返す。なお、この工程において、土台芯２２の親指側の外周縁２２００と、親指芯２４の外側周縁２４６ｎと、が平面視において一致するように、土台芯２２の主面２２０の上に親指芯２４を載置する。
同様に、図１０に示すように、土台芯２２の土台芯小指側構成部２２４の上面に、かつ、平面視において土台芯小指側構成部２２４に重なるように、長小指芯２５の中心線部２５２の中高形状の凸側を土台芯２２の主面２２０の側に向けて、長小指芯２５を１枚載置する。さらに、当該長小指芯２５の上面に、かつ、当該長小指芯２５に重なるように、中心線部２５２の中高形状の凸側を土台芯２２の主面２２０側に向けて、長小指芯２５を１枚載置する。この工程を、長小指芯２５の上面に小指芯用強化板２９が設けられる場合には、長小指芯２５の上面が小指芯用強化板２９が設けられるべき高さになるまで、繰り返す。なお、この工程において、土台芯２２の小指側の外周縁２２００と、長小指芯２５の外側周縁２５６ｎと、が平面視において一致するように、土台芯２２の主面２２０の上に長小指芯２５を載置する。
親指芯２４は、１枚以上積層することにより、キャッチャーミット用芯体２０の親指側を膨出させ、キャッチャーミット用芯体２０の親指側の衝撃吸収性を確保する。すなわち、親指芯２４は、積層することにより、親指側膨出体１１０を構成する。
長小指芯２５は、１枚以上積層することにより、キャッチャーミット用芯体２０の小指側かつ手首側を膨出させ、キャッチャーミット用芯体２０の小指側かつ手首側の衝撃吸収性を確保する。すなわち、長小指芯２５は、積層することにより、長小指側膨出体１２０を構成する。
このとき、親指芯２４の中心線部２４２が形成する中高形状の凸側を、下向きに、すなわち、手の平垂直方向であって土台芯２２の主面２２０側に向けて土台芯２２の主面２２０上に載置される。
同様に、このとき、長小指芯２５の中心線部２５２が形成する中高形状の凸側を、下向きに、すなわち、手の平垂直方向であって土台芯２２の主面２２０側に向けて土台芯２２の主面２２０上に載置される。
【００６０】
図１９のステップ１００４において、図１０に示すように、土台芯２２の主面２２０上であって土台芯２２の親指側と小指側とに、又は、土台芯２２に載置された親指芯２４と長小指芯２５との上に、親指芯用強化板２８と小指芯用強化板２９とをそれぞれ載置する（強化板載置工程）。
【００６１】
強化板載置工程を、主として図１０に基づいて、詳細に説明する。
図１０に示すように、土台芯２２の土台芯親指側構成部２２２の上面に載置され積層された１枚以上の親指芯２４の上面に、かつ、平面視において親指芯２４の中心線部２４２の周縁よりも内側に配設されるように、親指芯用強化板２８を載置する。すなわち、親指芯２４の周縁部２４４に食み出すことがないよう、周縁部２４４を残して、親指芯用強化板２８は、親指芯２４の上面に載置されている。
また、図１０に示すように、土台芯２２の土台芯小指側構成部２２４の上面に、かつ、平面視において長小指芯２５の中心線部２５２の周縁よりも内側に配設されるように、小指芯用強化板２９を載置する。すなわち、長小指芯２５の周縁部２５４に食み出すことがないよう、周縁部２５４を残して、小指芯用強化板２９は、長小指芯２５の上面に載置されている。
【００６２】
図１９のステップ１００５において、図１０に示すように、厚布縫製用ミシン４０を用いて、親指芯用強化板２８を土台芯２２と一体化するように、又は、親指芯用強化板２８を土台芯２２と土台芯２２に載置された親指芯２４と一体化するように、いわゆる直線縫いかつ本縫いで縫製する（強化板縫製工程）。
親指芯用強化板２８は、土台芯２２と一体的に縫着されることにより、キャッチャーミット１０の使用により、内部で摺動せず、親指芯用強化板２８の周縁２８６（端縁）で、親指芯２４を土台芯２２と縫着する糸を切断することを生じない。したがって、親指芯用強化板２８は、キャッチャーミット用芯体２０及びキャッチャーミット１０の寿命が縮まるということを生じない。
【００６３】
上記の強化板縫製工程を、主として図１０に基づいて、詳細に説明する。
図１０に示すように、土台芯２２の土台芯親指側構成部２２２の上面に載置され積層された１枚以上の親指芯２４の上面に載置された親指芯用強化板２８の上面から土台芯２２の下面にまで至る第１縫い目８０を形成するように、親指芯用強化板２８の中心線付近をその延在方向に厚布縫製用ミシン４０によりいわゆる直線縫いかつ本縫いで縫製する。なお、強化板縫製工程においては、縫製治具３０を用いる必要はない。
【００６４】
図１９のステップ１００６において、図１０に示すように、  厚布縫製用ミシン４０を用いて、小指芯用強化板２９を土台芯２２と一体化するように、又は、小指芯用強化板２９を土台芯２２と土台芯２２に載置された長小指芯２５と一体化するように、いわゆる直線縫いかつ本縫いで縫製する（強化板縫製工程）。
小指芯用強化板２９は、土台芯２２と一体的に縫着されることにより、キャッチャーミット１０の使用により、内部で摺動せず、小指芯用強化板２９の周縁２９６（端縁）で、長小指芯２５又は短小指芯２６を土台芯２２と縫着する糸を切断することを生じない。したがって、小指芯用強化板２９は、キャッチャーミット用芯体２０及びキャッチャーミット１０の寿命が縮まるということを生じない。
【００６５】
上記の強化板縫製工程を、主として図１０に基づいて、詳細に説明する。
図１０に示すように、土台芯２２の土台芯小指側構成部２２４の上面に載置され長小指芯２５の下面との間に挟みこまれた小指芯用強化板２９の上面から土台芯２２の下面にまで至る第２縫い目８２を形成するように、小指芯用強化板２９の中心線付近をその延在方向に厚布縫製用ミシン４０によりいわゆる直線縫いかつ本縫いで縫製する。
【００６６】
図１９のステップ１００７において、図１１に示すように、縫製された親指芯用強化板２８と小指芯用強化板２９との上に親指芯２４と長小指芯２５又は短小指芯２６とをそれぞれ載置する（親指芯及び小指芯載置工程）。
短小指芯２６は、１枚以上積層することにより、キャッチャーミット用芯体２０の小指側かつ指先側を膨出させ、キャッチャーミット用芯体２０の小指側かつ指先側の衝撃吸収性を確保する。すなわち、短小指芯２６は、積層することにより、短小指側膨出体１３０を構成する。
このとき、短小指芯２６の中心線部２６２が形成する中高形状の凸側を、下向きに、すなわち、手の平垂直方向であって土台芯２２の主面２２０側に向けて土台芯２２の主面２２０上に載置される。
【００６７】
親指芯及び小指芯載置工程を、主として図１１に基づいて、詳細に説明する。
図１１に示すように、土台芯２２の土台芯親指側構成部２２２の上面に載置され積層された１枚以上の親指芯２４の上面に載置された親指芯用強化板２８の更に上面に、平面視において当該親指芯２４に重なるように、親指芯２４を１枚載置する。この工程を、親指側膨出体１１０として必要な高さになるまで、繰り返す。
同様に、図１１に示すように、土台芯２２の土台芯小指側構成部２２４の上面に載置され積層された１枚以上の長小指芯２５の更に上面に又は長小指芯２５の上面に載置された小指芯用強化板２９の更に上面に、平面視において当該長小指芯２５に重なるように、長小指芯２５を１枚載置する。この工程を、長小指側膨出体１２０として必要な高さになるまで、繰り返す。
さらに、図１１に示すように、土台芯２２の土台芯小指側構成部２２４の上面に載置され積層された１枚以上の長小指芯２５の更に上面に又は長小指芯２５の上面に載置された小指芯用強化板２９の更に上面に、平面視において当該長小指芯２５の手首側の形状に重なるように、短小指芯２６を１枚載置する。この工程を、短小指側膨出体１３０として必要な高さになるまで、繰り返す。
【００６８】
図１９のステップ１００８において、図１２及び図１５に示すように、後述する縫製治具３０が押え棒４４に連結された厚布縫製用ミシン４０を用いて、土台芯２２と親指芯２４とを一体化するように、親指芯２４の周縁２４６よりも内側で親指芯用強化板２８の周縁２８６よりも外側で親指芯２４の周縁２４６を周るように縫製する（土台芯と親指芯との縫製工程）。
すなわち、図１２及び図１３に示すように、土台芯２２の土台芯親指側構成部２２２の上面に載置され積層され親指芯用強化板２８を挟みこんだ１枚以上の親指芯２４の周縁部２４４の周縁２４６から親指芯用強化板２８の周縁２８６までの間で周縁方向に環状に連続する第３縫い目９０が形成されるように、いわゆる直線縫いで、親指芯２４の周縁２４６（親指芯２４の周縁部２４４の周縁２４６）に沿って周るように、親指芯２４の周縁部２４４を厚布縫製用ミシン４０によりいわゆる直線縫いかつ本縫いで縫製する。
ここで、縫製治具３０は、当接部３８が親指側膨出体１１０の垂直端面１１０ｅに当接しながら、被縫製物であるキャッチャーミット用芯体２０を適切に送り、厚布縫製用ミシン４０のミシン針４６が親指芯２４の周縁２４６沿いに進行するように案内する。すなわち、縫製治具３０の当接部３８が、厚布縫製用ミシン４０でキャッチャーミット用芯体２０を縫製する際に、親指芯２４の周縁２４６によって形成される垂直端面１１０ｅに当接して、縫製治具３０は、当該周縁２４６（垂直端面１１０ｅ）とミシン針４６との水平距離を所定の一定の距離に保ちながらキャッチャーミット用芯体２０の縫製されるべき箇所を案内する。
土台芯２２に縫着される前においては、親指芯２４の中心線部２４２の中高形状の凸側が、図１１に示すように、手の平垂直方向であって土台芯２２の主面２２０側に向いていたが、中心線部２４２よりも厚みが薄い周縁部２４４がいわゆる直線縫いで土台芯２２に縫着されることによって、周縁部２４４の周縁２４６が土台芯２２の主面２２０に接近し、その作用の結果として、中心線部２４２は、図１３（Ａ）に示すように、土台芯２２の主面２２０から離れる方向に凸の中高形状となる。
【００６９】
図１９のステップ１００９において、図１２及び図１６に示すように、後述する縫製治具３０が押え棒４４に連結された厚布縫製用ミシン４０を用いて、土台芯２２と長小指芯２５又は短小指芯２６とを一体化するように、長小指芯２５又は短小指芯２６の周縁２５６、２６６よりも内側で小指芯用強化板２９の周縁２９６よりも外側で長小指芯２５又は短小指芯２６の周縁２５６、２６６を周るようにいわゆる直線縫いかつ本縫いで縫製する（土台芯と小指芯との縫製工程）。
すなわち、図１２及び図１３に示すように、土台芯２２の土台芯小指側構成部２２４の上面に載置され積層され小指芯用強化板２９を挟みこんだ１枚以上の長小指芯２５の周縁部２５４の周縁２５６又は１枚以上の短小指芯２６の周縁部２６４の周縁２６６から小指芯用強化板２９の周縁２９６までの間で周縁方向に環状に連続する第４縫い目９２が形成されるように、いわゆる直線縫いで、長小指芯２５の周縁２５６（長小指芯２５の周縁部２５４の周縁２５６）に沿って周るように、又は、短小指芯２６の周縁２６６（短小指芯２６の周縁部２６４の周縁２６６）に沿って周るように、長小指芯２５の周縁部２５４と短小指芯２６の周縁部２６４とを厚布縫製用ミシン４０によりいわゆる直線縫いかつ本縫いで縫製する。
さらに、図１２に示すように、短小指芯２６の内側周縁部２６４ｍの指先側から外側周縁部２６４ｎの指先側をいわゆる直線縫いで縫われてなる第５縫い目が形成されるように、短小指芯２６の指先側を短小指芯２６の幅方向に、厚布縫製用ミシン４０によりいわゆる直線縫いかつ本縫いで縫製する。
ここで、縫製治具３０は、当接部３８が長小指側膨出体１２０の垂直端面１２０ｅ又は短小指側膨出体１３０の垂直端面１３０ｅに当接しながら、被縫製物であるキャッチャーミット用芯体２０を適切に送り、厚布縫製用ミシン４０のミシン針４６が長小指芯２５又は短小指芯２６の周縁２５６、２６６沿いに進行するように案内する。すなわち、縫製治具３０の当接部３８が、厚布縫製用ミシン４０でキャッチャーミット用芯体２０を縫製する際に、長小指芯２５の周縁２５６又は短小指芯２６の周縁２６６によって形成される垂直端面１２０ｅ又は垂直端面１３０ｅに当接して、縫製治具３０は、当該周縁２５６、２６６（垂直端面１２０ｅ、１３０ｅ）とミシン針４６との水平距離を所定の一定の距離に保ちながらキャッチャーミット用芯体２０の縫製されるべき箇所を案内する。
土台芯２２に縫着される前においては、長小指芯２５の中心線部２５２の中高形状の凸側が、図１１に示すように、手の平垂直方向であって土台芯２２の主面２２０側に向いていたが、中心線部２５２よりも厚みが薄い周縁部２５４がいわゆる直線縫いで土台芯２２に縫着されることによって、周縁部２５４の周縁２５６が土台芯２２の主面２２０に接近し、その作用の結果として、中心線部２５２は、図１３（Ａ）に示すように、土台芯２２の主面２２０から離れる方向に凸の中高形状となる。
同様に、土台芯２２に縫着される前においては、短小指芯２６の中心線部２６２の中高形状の凸側が、図１１に示すように、手の平垂直方向であって土台芯２２の主面２２０側に向いていたが、中心線部２６２よりも厚みが薄い周縁部２６４がいわゆる直線縫いで土台芯２２に縫着されることによって、周縁部２６４の周縁２６６が土台芯２２の主面２２０に接近し、その作用の結果として、中心線部２６２は、図１３（Ｂ）に示すように、土台芯２２の主面２２０から離れる方向に凸の中高形状となる。
上記により、キャッチャーミット用芯体２０が製造される。
【００７０】
さらに、キャッチャーミット１０の製造方法について説明する。
【００７１】
上記の製造方法を用いて製造されたキャッチャーミット用芯体２０と、捕手であるキャッチャーミット１０の使用者がボールを捕球する面である受球面１４０を有し、ボールを捕球しやすいように受球面１４０の一部が窪むような形状に形成され、周縁付近又は周縁よりも内側には、縫合するための紐孔Ｈが複数形成される受球面革１４と、受球面革１４の裏面側（手の甲側）で連結され綴じ紐１９で縫合されることにより、受球面革１４との間でキャッチャーミット用芯体２０を収容するように形成され、周縁付近にはキャッチャーミット用芯体２０及び受球面革１４と綴じ紐１９で縫合するための紐孔Ｈが複数形成される手掌革１６と、手掌革１６の裏面側（手の甲側）に縫着されて手挿入空間Ｓを形成するための部材であり、手掌革１６の一回り小さな形状に、かつ、指を開いた手のような略手形の形状に形成される手甲革１８と、を準備する。
【００７２】
手掌革１６の裏面側（手の甲側）に手甲革１８を工業用ミシンで縫着する。これにより、キャッチャーミット１０の手挿入空間Ｓが形成される。
【００７３】
図１に示すように、手甲革１８が縫着された手掌革１６と、受球面側１４と、の間にキャッチャミット用芯体２０を挟みこむように、手掌革１６とキャッチャミット用芯体２０と受球面側１４とを重ね合わせ、手掌革１６、受球面側１４及びキャッチャミット用芯体２０に形成されている紐孔Ｈに綴じ紐１９を挿通して、手掌革１６とキャッチャミット用芯体２０と受球面側１４とを縫着する。
上記により、キャッチャーミット１０が製造される。
【００７４】
次に、キャッチャーミット１０の膨出体１００を構成するキャッチャーミット用芯体２０を製造するときに用いられる縫製治具３０について、説明する。
図１４に示すように、縫製治具３０は、厚布縫製用ミシン４０の押え足４２を上から支持する押え棒４４に連結して、被縫製物であるキャッチャーミット用芯体２０を厚布縫製用ミシン４０で縫製する際に、厚布縫製用ミシン４０の針の運ぶ位置つまりキャッチャーミット用芯体２０の縫製されるべき箇所を案内するための金属性の部材である。
縫製治具３０は、連結部３２と第１腕部３４と第２腕部３６と当接部３８とにより構成される。以下、縫製治具３０の構成要素について説明する。
【００７５】
連結部３２は、縫製治具３０を厚布縫製用ミシン４０の押え足４２を上から支持する押え棒４４に連結する。連結部３２は、水平面視においてコの字形であり、側面視において略方形である。連結部３２は、第１支持部３２１と第２支持部３２２と第３支持部３２３とねじ受け部３２４とにより構成されている。
【００７６】
第１支持部３２１は、厚布縫製用ミシン４０の押え棒４４に当接して、縫製治具３０の長手方向を押え棒４４の長手方向に揃え、第２支持部３２２とともに、縫製治具３０を水平方向に移動しないように制限しつつ支持する。第１支持部３２１は、鉛直方向にのびる板状の形状であり、水平面視においても側面視においても方形である。第１支持部３２１の寸法は、例えば、鉛直方向の長さが１０ｍｍであり、第２支持部３２２側への厚みが３ｍｍであり、第３支持部３２３側への長さが５．５ｍｍである。
【００７７】
第２支持部３２２は、第１支持部３２１と同様に、厚布縫製用ミシン４０の押え棒４４に当接して、縫製治具３０の長手方向を押え棒４４の長手方向に揃え、第１支持部３２１とともに、縫製治具３０を水平方向に移動しないように制限しつつ支持する。第２支持部３２２は、鉛直方向にのびる板状の形状であり、水平面視においても側面視においても方形である。第２支持部３２２と第１支持部３２１とは、並列するとともにその面方向を対向しており、その間で押え棒４４を挟持する。第２支持部３２２の寸法は、第１支持部３２１と同じである。
【００７８】
第３支持部３２３は、第１支持部３２１と同様に、厚布縫製用ミシン４０の押え棒４４に当接して、縫製治具３０の長手方向を押え棒４４の長手方向に揃え、第１支持部３２１とともに、縫製治具３０を水平方向に移動しないように制限しつつ支持する。そして、第１支持部３２１と第２支持部３２２と第３支持部３２３とは、三方から押え棒４４を包むように支持している。
第３支持部３２３は、鉛直方向にのびる板状の形状であり、水平面視においても側面視においても方形である。第３支持部３２３は、第１支持部３２１と第２支持部３２２との水平方向の端縁に直交するように接続し、水平面視において、第１支持部３２１と第２支持部３２２と第３支持部３２３とがコの字形を形成するように、配置されている。第３支持部３２３の寸法は、例えば、鉛直方向の長さが１０ｍｍであり、第１支持部３２１及び第２支持部３２２側への厚みが６ｍｍであり、第１支持部３２１から第２支持部３２２へ向かう方向での長さが１４ｍｍである。
第３支持部３２３は、鉛直方向の中間位置であって、第１支持部３２１と第２支持部３２２とが第３支持部３２３から水平方向にのびる方向と同じ方向に、ねじ受け部３２４が形成されている。
【００７９】
ねじ受け部３２４は、雄ねじ（図示しない）を挿通されて、縫製治具３０を押え棒４４に連結するとともに、縫製治具３０の鉛直方向への動きを、押え棒４４つまりミシン針４６の動きと一体化する。ねじ受け部３２４は、雄ねじのねじ頭を収容する大孔部３２４０と、大孔部３２４０のミシン針４６側に位置し雄ねじのねじ軸を挿通する小孔部３２４２と、により構成されている。大孔部３２４０の直径は、例えば７ｍｍであり、小孔部３２４２の直径は、例えば４ｍｍである。
【００８０】
次に、第１腕部３４は、連結部３２の第３支持部３２３の鉛直下方に連続するように接続し、当接部３８を被縫製物であるキャッチャーミット用芯体２０上面近傍に上から降ろすように位置させる。第１腕部３４は、鉛直方向にのびる板状の形状であり、水平面視においても側面視においても方形である。第１腕部３４の鉛直方向の長さは、押え棒４４すなわちミシン針４６が最下点に位置する時に、当接部３８が被縫製物であるキャッチャーミット用芯体２０の土台芯２２の上側の主面２２０よりも若干上方に位置するように形成されており、例えば、３５ｍｍの長さである。
【００８１】
第２腕部３６は、第１腕部３４に水平方向に連続するように接続し、第１腕部３４から当接部３８を被縫製物であるキャッチャーミット用芯体２０の周縁方向にのばす。つまり、第２腕部３６は、第１腕部３４から、被縫製物であるキャッチャーミット用芯体２０の親指芯２４又は長小指芯２５の周縁２４６、２５６の接線方向であって周縁２４６、２５６に向かって水平に延びる。第２腕部３６は、水平方向にのびる板状の形状であり、水平面視においても側面視においても方形である。第２腕部３６の水平方向の長さは、例えば、６ｍｍである。
【００８２】
当接部３８は、第２腕部３６の水平方向であって第１腕部３４の接続する側と反対側である先端側に連続的に接続する。当接部３８は、被縫製物であるキャッチャーミット用芯体２０の親指芯２４の周縁２４６又は長小指芯２５の周縁２５６に当接して、ミシン針４６によって親指芯２４又は長小指芯２５の縫製されるべき箇所を当該周縁２４６、２５６から例えば５ｍｍのマチをとるように案内する。当接部３８の形状は、側面視において方形であり、水平面視において半円形状又は略円形状である。当接部３８の寸法は、例えば、鉛直方向の高さが８ｍｍであり、第２腕部３６からのびる方向の長さが１０ｍｍであり、第２腕部３６からのびる方向と直交する方向の長さ（略円形の直径）が１０ｍｍである。当接部３８は、第２腕部３６の先端側に接続し、水平面視において半円形状又は略円形状であり、厚布縫製用ミシン４０でキャッチャーミット用芯体２０を縫製する際に、親指芯２４の周縁２４６又は長小指芯２５の周縁２５６に当接して、当該周縁２４６、２５６とミシン針４６との水平距離を所定の一定の距離に保ちながらキャッチャーミット用芯体２０の縫製されるべき箇所を案内する。
【００８３】
縫製部材３０の当接部３８により、厚布縫製用ミシン４０でキャッチャーミット用芯体２０の親指芯２４、長小指芯２５又は短小指芯２６を縫製する際に、その周縁２４６、２５６、２６６をミシン針４６が周りながら、被縫製物であるキャッチャーミット用芯体２０を送ることが可能となる。これにより、断面形状が中高形状である親指芯２４、長小指芯２５又は短小指芯２６を縫製する際に、傾斜している周縁部２４４、２５４、２６４に厚布縫製用ミシン４０の押え足４２が押えても、押え足４２が滑り落ちることがなく、適切にミシン針４６で縫製されるべき箇所を縫製することができる。
また、縫製部材３０は、従来の縫製治具（図示しない）であるミシンベッドの平面上で平面方向（水平方向）に設けるものと違い、押え棒４４の長手方向である鉛直方向に押え棒４４から降ろすものでるため、土台芯２２を有するキャッチャーミット用芯体２０の内側周縁であっても当接して縫製箇所を案内することができる。
縫製部材３０の当接部３８は、被縫製物と当接する面が半円形上又は略円形状であるため、被縫製物であるキャッチャーミット用芯体２０の親指芯２４の周縁２４６や長小指芯２５の周縁２５６の曲線形状に滑らかに対応することができ、円滑にキャッチャーミット用芯体２０の縫製されるべき箇所を案内することができる。
縫製部材３０は、押え棒４４と一体化して鉛直方向に運動するので、被縫製物であるキャッチャーミット用芯体２０の親指芯２４、長小指芯２５又は短小指芯２６の積層枚数の違いによる厚みの違いに関らず、縫製されるべき箇所を案内することができる。
縫製部材３０は、連結部３２が押え棒４４にねじ止めされているので、簡単に連結し、簡単に取り外すことができる。
【００８４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配列等に関して、様々の変更を加えることができるものであり、それらは、本発明に含まれるものである。
【符号の説明】
【００８５】
１０  キャッチャーミット
１２  革部材
１４  受球面革
１４０  受球面
１６  手掌革
１８  手甲革
１９  綴じ紐
Ｓ  手挿入空間
Ｈ  紐孔
２０  キャッチャーミット用芯体
２２  土台芯
２２０  土台芯の主面
２２００  土台芯の外周縁
２２２  土台芯親指側構成部
２２２０  土台芯親指側構成部の周縁
２２４  土台芯小指側構成部
２２４０  土台芯小指側構成部の周縁
２２６  土台芯中央側構成部
２４  親指芯
２４２  親指芯の中心線部
２４４  親指芯の周縁部
２４４ｎ  親指芯の外側周縁部
２４４ｍ  親指芯の内側周縁部
２４６  親指芯の周縁（親指芯の周縁部の周縁）
２４６ｎ  親指芯の外側周縁
２４６ｍ  親指芯の内側周縁
２５  長小指芯
２５２  長小指芯の中心線部
２５４  長小指芯の周縁部
２５４ｎ  長小指芯の外側周縁部
２５４ｍ  長小指芯の内側周縁部
２５６  長小指芯の周縁（長小指芯の周縁部の周縁）
２５６ｎ  長小指芯の外側周縁
２５６ｍ  長小指芯の内側周縁
２６  短小指芯
２６２  短小指芯の中心線部
２６４  短小指芯の周縁部
２６４ｎ  短小指芯の外側周縁部
２６４ｍ  短小指芯の内側周縁部
２６６  短小指芯の周縁（短小指芯の周縁部の周縁）
２６６ｎ  短小指芯の外側周縁
２６６ｍ  短小指芯の内側周縁
２８  親指芯用強化板
２８６  親指芯用強化板の周縁
２９  小指芯用強化板
２９６  小指芯用強化板の周縁
３０  縫製治具
３２  連結部
３２１  第１支持部
３２２  第２支持部
３２３  第３支持部
３２４  ねじ受け部
３２４０  大孔部
３２４２  小孔部
３４  第１腕部
３６  第２腕部
３８  当接部
４０  厚布縫製用ミシン
４２  押え足
４４  押え棒
４６  ミシン針
５０  親指側の手の骨
５１  船状骨
５２  大菱形骨
５３  第１中手骨
５４  第１基節骨
５５  第１末節骨
６０  小指側の手の骨
６１  三角骨
６２  豆状骨
６３  第５中手骨
６４  第５基節骨
６５  第５中節骨
６６  第５末節骨
８０  第１縫い目
８２  第２縫い目
９０  第３縫い目
９２  第４縫い目
９４  第５縫い目
１００  膨出体
１１０  親指側膨出体
１１０ｅ  垂直端面
１２０  長小指側膨出体
１２０ｅ  垂直端面
１３０  短小指側膨出体
１３０ｅ  垂直端面
【図１】
2018201836.tif 000003
【図２】
2018201836.tif 000004
【図３】
2018201836.tif 000005
【図４】
2018201836.tif 000006
【図５】
2018201836.tif 000007
【図６】
2018201836.tif 000008
【図７】
2018201836.tif 000009
【図８】
2018201836.tif 000010
【図９】
2018201836.tif 000011
【図１０】
2018201836.tif 000012
【図１１】
2018201836.tif 000013
【図１２】
2018201836.tif 000014
【図１３】
2018201836.tif 000015
【図１４】
2018201836.tif 000016
【図１５】
2018201836.tif 000017
【図１６】
2018201836.tif 000018
【図１７】
2018201836.tif 000019
【図１８】
2018201836.tif 000020
【図１９】
2018201836.tif 000021
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
１枚の土台芯と４枚以上の親指芯と２枚以上の長小指芯と１枚以上の短小指芯とを備えるキャッチャーミット用芯体であって、
土台芯は、
シート状であって、
キャッチャーミットの親指側で手首側から指先側に向かって伸びあがり湾曲する土台芯親指側構成部と、小指側で手首側から指先側に向かって伸びあがり湾曲する土台芯小指側構成部と、土台芯親指側構成部と土台芯小指側構成部との間に位置する土台芯中央側構成部と、を有し、
土台芯親指側構成部は、平面視において、キャッチャーミットを使用する人の船状骨から大菱形骨、第１中手骨、第１基節骨を経て第１末節骨に向かうような形状に形成され、
土台芯小指側構成部は、平面視において、キャッチャーミットを使用する人の三角骨から豆状骨、第５中手骨、第５基節骨、第５中節骨を経て第５末節骨に向かうような形状に形成され、
土台芯中央側構成部は、平面視において、指先側が円弧状に切り欠かれたような形状である略ハート形状に形成され、
親指芯は、
シート状であって、平面視において、土台芯親指側構成部の形状に形成され、
縫着前における幅方向に切断した断面形状において、断面略台形状であって、小指側においてその厚みが漸減する形状に形成され、
長小指芯は、
シート状であって、平面視において、土台芯小指側構成部の形状に形成され、
縫着前における幅方向に切断した断面形状において、断面略台形状であって、親指側においてその厚みが漸減する形状に形成され、
短小指芯は、
シート状であって、平面視において、土台芯小指側構成部の手首側の形状に沿う形状であって、長小指芯の長さの略２分の１の長さに形成され、
縫着前における幅方向に切断した断面形状において、断面略台形状であって、親指側においてその厚みが漸減する形状に形成され、
親指芯と長小指芯と短小指芯とは、
周縁近傍の周縁部と、周縁部内側に位置し周縁部の少なくとも一部の厚みより厚くする中高形状に形成された中心線部と、を有し、
周縁部に周縁方向に連続して直線状に本縫いで縫われた縫い目が形成されて、土台芯と縫着され、
親指芯用強化板をさらに備え、
親指芯用強化板は、
親指芯の強度を向上するための樹脂性の部材であり、
シート状であって、親指芯の形状と略相似する形状であるが親指芯よりも小形である形状に形成され、
積層する土台芯と親指芯との間で、又は、積層する親指芯と親指芯との間で、その延在する方向に連続して直線状に本縫いで縫われた縫い目が形成されて、土台芯と一体的に縫着され、
親指芯は、中心線部の中高形状の凸側を土台芯の主面側に向けて、かつ、周縁部の周縁が土台芯親指側構成部の周縁と重なるように、土台芯に載置されて、周縁部の周縁から親指芯用強化板の周縁までの間で周縁方向に連続して直線状に本縫いで縫われた縫い目が形成されて、土台芯と縫着され、
小指芯用強化板をさらに備え、
小指芯用強化板は、
長小指芯又は短小指芯の強度を向上するための樹脂性の部材であり、
シート状であって、短小指芯の形状と略相似する形状であるが短小指芯よりも小形である形状に形成され、
積層する土台芯と長小指芯との間で、又は、積層する長小指芯と短小指芯との間で、その延在する方向に連続して直線状に本縫いで縫われた縫い目が形成されて、土台芯と一体的に縫着され、
長小指芯は、中心線部の中高形状の凸側を土台芯の主面側に向けて、かつ、周縁部の周縁が土台芯小指側構成部の周縁と重なるように、土台芯に載置されて、周縁部の周縁から小指芯用強化板の周縁までの間で周縁方向に連続して直線状に本縫いで縫われた縫い目が形成されて、土台芯と縫着されており、
短小指芯は、中心線部の中高形状の凸側を土台芯の主面側に向けて、かつ、周縁部の周縁が長小指芯の手首側の周縁部の周縁と重なるように、土台芯に載置された長小指芯に更に載置されて、周縁部の周縁から小指芯用強化板の周縁までの間で周縁方向に連続して直線状に本縫いで縫われた縫い目が形成されて、土台芯と長小指芯と縫着され、
積層された親指芯は、親指側膨出体を構成し、同一形状の親指芯の周縁が積層して形成する垂直端面を有し、
積層された長小指芯は、長小指側膨出体を構成し、同一形状の長小指芯の周縁が積層して形成する垂直端面を有し、
積層された長小指芯に更に積層された短小指芯は、短小指側膨出体を構成し、手首側において同一形状の長小指芯の周縁及び短小指芯の周縁が積層して形成する垂直端面を有する、
キャッチャーミット用芯体。
【請求項２】
表面側が受球面となり親指側と小指側とに伸びあがる受球面革と、
受球面革の裏面側で綴じ紐を用いて連結された手掌革と、
手掌革の裏面側に縫着されて手挿入空間を形成する手甲革と、
受球面革と手掌革との間に設けられた請求項１に記載のキャッチャーミット用芯体と、
を備える、キャッチャーミット。
【請求項３】
厚布縫製用ミシンの押え足を上から支持する押え棒に連結する連結部と、
連結部から鉛直下方に向かって被縫製物の上面近傍まで延びる第１腕部と、
第１腕部から、被縫製物であるキャッチャーミット用芯体の親指芯又は長小指芯の周縁の接線方向であって周縁に向かって水平に延びる第２腕部と、
第２腕部の先端側に接続し、水平面視において半円形状又は略円形状であり、厚布縫製用ミシンでキャッチャーミット用芯体を縫製する際に、前記周縁に当接して、前記周縁とミシン針との水平距離を所定の一定の距離に保ちながらキャッチャーミット用芯体の縫製されるべき箇所を案内する当接部と、
を有し、
連結部は、
水平面視においてコの字形であり、側面視において略方形であるように形成され、
第１支持部と第２支持部と第３支持部とねじ受け部とにより構成されており、
第１支持部は、鉛直方向にのびる板状の形状であり、水平面視においても側面視においても方形であるように形成され、
第２支持部は、鉛直方向にのびる板状の形状であり、水平面視においても側面視においても方形であるように形成され、
第３支持部は、鉛直方向にのびる板状の形状であり、水平面視においても側面視においても方形であるように形成され、
第２支持部と第１支持部とは、並列するとともにその面方向を対向しており、その間で押え棒を挟持し、
第３支持部は、
第１支持部と第２支持部との水平方向の端縁に直交するように接続し、平面視において、第１支持部と第２支持部と第３支持部とがコの字形を形成するように、配置され、
鉛直方向の中間位置であって、第１支持部と第２支持部とが第３支持部から水平方向にのびる方向と同じ方向に、ねじ受け部が形成され、
ねじ受け部は、雄ねじを挿通されて、縫製治具を押え棒に連結するとともに、縫製治具の鉛直方向への動きを、押え棒の動きと一体化する、
縫製治具。
【請求項４】
１枚の土台芯と、４枚以上の親指芯と、２枚以上の長小指芯と、１枚以上の短小指芯と、親指芯の強度を向上するための親指芯用強化板と、長小指芯又は短小指芯の強度を向上するための小指芯用強化板と、を備えるキャッチャーミット用芯体の製造方法であって、
シート状であって略ハート形状の土台芯と、シート状であって平面視において土台芯の親指側の外周縁に沿うように湾曲する略三日月形状の親指芯と、シート状であって平面視において土台芯の小指側の外周縁に沿うように湾曲する略三日月形状の長小指芯と、シート状であって平面視において土台芯の小指側の外周縁に沿うように湾曲する略三日月形状であって長小指芯の長さの略２分の１の長さに形成された短小指芯と、シート状であって親指芯の形状と略相似する形状であるが親指芯よりも小形である形状の親指芯用強化板と、シート状であって短小指芯の形状と略相似する形状であるが短小指芯よりも小形である形状の小指芯用強化板と、厚布縫製用ミシンと、を準備する工程と
土台芯の主面上であって土台芯の親指側と小指側とに、親指芯と長小指芯とをそれぞれ載置する工程と、
土台芯の主面上であって土台芯の親指側と小指側とに、又は、土台芯に載置された親指芯と長小指芯との上に、親指芯用強化板と小指芯用強化板とをそれぞれ載置する工程と、
厚布縫製用ミシンを用いて、親指芯用強化板を土台芯と一体化するように、又は、親指芯用強化板を土台芯と土台芯に載置された親指芯と一体化するように、縫製する工程と、
厚布縫製用ミシンを用いて、小指芯用強化板を土台芯と一体化するように、又は、小指芯用強化板を土台芯と土台芯に載置された長小指芯と一体化するように、縫製する工程と、
縫製された親指芯用強化板と小指芯用強化板との上に親指芯と長小指芯又は短小指芯とをそれぞれ載置する工程と、
請求項３に記載の縫製治具が押え棒に連結された厚布縫製用ミシンを用いて、土台芯と親指芯とを一体化するように、親指芯の周縁よりも内側で親指芯用強化板の周縁よりも外側で親指芯の周縁を周るように縫製する工程と、
請求項３に記載の縫製治具が押え棒に連結された厚布縫製用ミシンを用いて、土台芯と長小指芯又は短小指芯とを一体化するように、長小指芯又は短小指芯の周縁よりも内側で小指芯用強化板の周縁よりも外側で長小指芯又は短小指芯の周縁を周るように縫製する工程と、
を含む、キャッチャーミット用芯体の製造方法。